(57)【特許請求の範囲】
【請求項１】
１枚のブランク（Ｂ）を折り曲げて成形される紙製包装容器であって、少なくとも、容器本体（Ａ）の底面部（１）と該底面部（１）の各辺（１ａ）から立ち上がる複数の側壁（２）及び該側壁（２）の上縁に折線（３）を介して折り曲げ自在に連設した蓋フラップ（４）を有し、
前記側壁（２）から蓋フラップ（４）に亘り前記折線（３）と交差する縦方向の折り込み線（５ａ，５ｂ）を連続状に備えると共に、前記底面部（１）の各辺（１ａ）の中間位置を外側へ突出させた中間頂角（１ｄ）に、前記折り込み線（５ａ）の下端部（５ａ’）が接するよう形成し、
蓋フラップ（４）を折線（３）に沿って外側へ折り返して側壁（２）に重ねた際、これら側壁（２）及び蓋フラップ（４）が、前記折り込み線（５ａ，５ｂ）が頂点となるよう外側へ反り出すと共に、それら折り込み線（５ａ，５ｂ）同士が重なって蓋フラップ（４）が係止されるよう形成し、
且つ、前記底面部（１）に、該底面部の中心（１ｂ）から外方へ向けて放射状となる折線（６）を形成すると共に、該放射状の折線（６）が、前記中心（１ｂ）から前記中間頂角（１ｄ）にわたって形成され、前記折り込み線（５ａ，５ｂ）と直線状に連なるようにして、
前記中間頂角（１ｄ）により、前記側壁（２）及び蓋フラップ（４）に、前記折り込み線（５ａ，５ｂ）が頂点となる外側へ反り出す力が生じるよう形成したことを特徴とする紙製包装容器。
【請求項２】
１枚のブランク（Ｂ）を折り曲げて成形される紙製包装容器であって、少なくとも、容器本体（Ａ）の底面部（１）と該底面部（１）の各辺（１ａ）から立ち上がる複数の側壁（２）及び該側壁（２）の上縁に折線（３）を介して折り曲げ自在に連設した蓋フラップ（４）を有し、
前記側壁（２）に前記折線（３）と交差する縦方向の折り込み線（５ａ）を備えると共に、前記底面部（１）の各辺（１ａ）の中間位置を外側へ突出させた中間頂角（１ｄ）に、前記折り込み線（５ａ）の下端部が接するよう形成し、
蓋フラップ（４）を折線（３）に沿って外側へ折り返して側壁（２）に重ねた際、これら側壁（２）及び蓋フラップ（４）が、前記折り込み線（５ａ）と、該折り込み線（５ａ）に対応する蓋フラップの折り込み線（５ｂ）が頂点となるよう外側へ反り出すと共に、それら折り込み線（５ａ，５ｂ）同士が重なって蓋フラップ（４）が係止されるよう形成し、
且つ、前記底面部（１）に、該底面部の中心（１ｂ）から外方へ向けて放射状となる折線（６）を形成すると共に、該放射状の折線（６）が、前記底面部の中心（１ｂ）から前記中間頂角（１ｄ）にわたって形成され、前記折り込み線（５ａ）と直線状に連なるようにして、前記中間頂角（１ｄ）により、前記側壁（２）及び蓋フラップ（４）に、前記折り込み線（５ａ，５ｂ）が頂点となる外側へ反り出す力が生じるよう形成し、
さらに、前記側壁（２）の左右の側縁部（８）の中間部から、底面部（１）の中間頂角（１ｄ）にわたり折線（１３，１３）を形成し、該折線（１３）と各辺（１ａ）と側縁部（８）で囲まれる三角形の区画面（１４）を、側壁（２）の左右両側の下部に形成したことを特徴とする紙製包装容器。
【請求項３】
前記底面部の中心（１ｂ）が頂点となるよう、前記折線（６）に沿って底面部（１）を容器本体（Ａ）の内側へ凹ませて上げ底状に形成されることを特徴とする請求項１又は２記載の紙製包装容器。
【請求項４】
前記底面部（１）が三角形以上の多角形状である請求項１又は２又は３記載の紙製包装容器。
【請求項５】
前記底面部（１）の各辺（１ａ）に沿って立ち上がる夫々の側壁（２）の隣り合う側縁部（８）間に折り込み片（２ａ，１０）を連設し、該折り込み片（２ａ，１０）を側壁（２）に貼り着けて隣り合う側壁（２）同士を連結するよう形成した請求項１〜４のいずれか１項記載の紙製包装容器。
【発明の詳細な説明】
【０００１】
【発明の属する技術分野】
本発明は、１枚のブランクを折り曲げて成形される紙製包装容器に関し、詳しくは、少なくとも、容器本体の底面部と該底面部の各辺から立ち上がる複数の側壁及びこれら側壁に折線を介して折り曲げ自在に連設された蓋フラップを有する紙製包装容器における蓋フラップの係止構造の改良に関する。
【０００２】
【従来の技術】
従来、この種の紙製包装容器として、例えば特許文献１に記載されるように、側壁から蓋フラップへ至る２条の切り込みを設け、蓋フラップを折線に沿って側壁の外側に折り返し、２条の切り込みで挟まれた切込部分を側壁の外側又は内側に倒して、この倒れた切込部分が両切り込み間に係止されることにより、開箱後、蓋フラップを折り曲げて即時に側壁の外側に固定できるようにしたものがある。
【０００３】
【特許文献１】
実公平４−１５６０９号公報
【０００４】
【発明が解決しようとする課題】
しかし乍ら、このような従来の紙製包装容器では、開いた蓋フラップを係止するための切り込みを追加形成する必要があるため、その構造が複雑化して製造コストの高騰につながるばかりでなく、切り込みによってブランクの強度が低下し、容器成形時（組み立て時）に切り込みから破損が生じ不良品が発生する恐れがあるなどの問題がある。
また、容器内に収容する内容物が液体や流動物である場合、切り込みから漏れ出る恐れがあり、そのような内容物の使用には適さないという問題がある。
【０００５】
本発明はこのような従来事情に鑑みてなされたもので、その主たる目的とする処は、側壁や蓋フラップに切り込みを入れるような必要なく、極めて簡単な手段によって、開いた蓋フラップをその状態のまま保持することができる新規な紙製包装容器を提供することにある。
また、本発明の他の目的は、テーブル面等に載せた時の安定性や保温効果を向上させるべく容器底面を上げ底状とするにあたり、成形時において上げ底を容易に形成することができる新規な紙製包装容器を提供することにある。
【０００６】
【課題を解決するための手段】
以上の目的を達成するために本発明は、１枚のブランクを折り曲げて、容器本体の底面部と複数の側壁を形成し、これら側壁に折線を介して折り曲げ自在な蓋フラップを形成した紙製包装容器において、前記側壁から蓋フラップに亘り折線と交差する折り込み線を夫々形成し、開蓋された蓋フラップを折線に沿って側壁の外側へ折り曲げて重ね合わせると共に、これら側壁及び蓋フラップの折り込み線同士を接近したまま折り曲げて係止させたことを要旨とする。
また、前記容器本体の底面部を多角形に形成して、その各辺の中間位置から該底面部の中心へ向けて折線を形成し、この折線に沿って該底面部を容器本体の内側へ凹状に折り込むことを要旨とする。
また、前記底面部をその各辺の中間位置が外側へ突出する六角形に形成すると共に、これら各辺の中間位置と連続するように、側壁の折り込み線を該側壁の中間部に配置したことを要旨とする。
また、前記底面部をその各辺の中間位置が外側へ突出する八角形に形成すると共に、これら各辺の中間位置と連続するように、側壁の折り込み線を該側壁の中間部に配置したことを要旨とする。
【０００７】
すなわち、本発明は請求項１記載のように、１枚のブランク（Ｂ）を折り曲げて成形される紙製包装容器であって、少なくとも、容器本体（Ａ）の底面部（１）と該底面部（１）の各辺（１ａ）から立ち上がる複数の側壁（２）及び該側壁（２）の上縁に折線（３）を介して折り曲げ自在に連設した蓋フラップ（４）を有し、前記側壁（２）から蓋フラップ（４）に亘り前記折線（３）と交差する縦方向の折り込み線（５ａ，５ｂ）を連続状に備えると共に、前記底面部（１）の各辺（１ａ）の中間位置を外側へ突出させた中間頂角（１ｄ）に、前記折り込み線（５ａ）の下端部（５ａ’）が接するよう形成し、蓋フラップ（４）を折線（３）に沿って外側へ折り返して側壁（２）に重ねた際、これら側壁（２）及び蓋フラップ（４）が、前記折り込み線（５ａ，５ｂ）が頂点となるよう外側へ反り出すと共に、それら折り込み線（５ａ，５ｂ）同士が重なって蓋フラップ（４）が係止されるよう形成し、且つ、前記底面部（１）に、該底面部の中心（１ｂ）から外方へ向けて放射状となる折線（６）を形成すると共に、該放射状の折線（６）が、前記中心（１ｂ）から前記中間頂角（１ｄ）にわたって形成され、前記折り込み線（５ａ，５ｂ）と直線状に連なるようにして、前記中間頂角（１ｄ）により、前記側壁（２）及び蓋フラップ（４）に、前記折り込み線（５ａ，５ｂ）が頂点となる外側へ反り出す力が生じるよう形成したことを特徴とする。
また本発明の請求項２は、１枚のブランク（Ｂ）を折り曲げて成形される紙製包装容器であって、少なくとも、容器本体（Ａ）の底面部（１）と該底面部（１）の各辺（１ａ）から立ち上がる複数の側壁（２）及び該側壁（２）の上縁に折線（３）を介して折り曲げ自在に連設した蓋フラップ（４）を有し、前記側壁（２）に前記折線（３）と交差する縦方向の折り込み線（５ａ）を備えると共に、前記底面部（１）の各辺（１ａ）の中間位置を外側へ突出させた中間頂角（１ｄ）に、前記折り込み線（５ａ）の下端部が接するよう形成し、蓋フラップ（４）を折線（３）に沿って外側へ折り返して側壁（２）に重ねた際、これら側壁（２）及び蓋フラップ（４）が、前記折り込み線（５ａ）と、該折り込み線（５ａ）に対応する蓋フラップの折り込み線（５ｂ）が頂点となるよう外側へ反り出すと共に、それら折り込み線（５ａ，５ｂ）同士が重なって蓋フラップ（４）が係止されるよう形成し、且つ、前記底面部（１）に、該底面部の中心（１ｂ）から外方へ向けて放射状となる折線（６）を形成すると共に、該放射状の折線（６）が、前記底面部の中心（１ｂ）から前記中間頂角（１ｄ）にわたって形成され、前記折り込み線（５ａ）と直線状に連なるようにして、前記中間頂角（１ｄ）により、前記側壁（２）及び蓋フラップ（４）に、前記折り込み線（５ａ，５ｂ）が頂点となる外側へ反り出す力が生じるよう形成し、さらに、前記側壁（２）の左右の側縁部（８）の中間部から、底面部（１）の中間頂角（１ｄ）にわたり折線（１３，１３）を形成し、該折線（１３）と各辺（１ａ）と側縁部（８）で囲まれる三角形の区画面（１４）を、側壁（２）の左右両側の下部に形成したことを特徴とする。
【０００８】
このような構成によれば、折線（３）に沿って蓋フラップ（４）を外側に折り曲げ側壁（２）に重ねると、その蓋フラップ（４）と側壁（２）が、折り込み線（５ａ，５ｂ）が頂点となるよう外側へ反り出すと共に、それら折り込み線（５ａ，５ｂ）同士が重なって蓋フラップ（４）が係止され、蓋フラップ（４）を開いた状態が維持される。
また、側壁（２）及び蓋フラップ（４）が、前記折り込み線（５ａ，５ｂ）が頂点となるよう外側へ反り出す状態を自然に生じさせることができ、前記効果をより確実なものとすることができる。加えて、側壁（２）及び蓋フラップ（４）の外側へ反り出す状態が常に維持されることから、紙製包装容器の自動成形装置による自動作製が容易になり、従来に比べより迅速な自動成形が可能になるなどの利点がある。
【０００９】
本発明に係る紙製包装容器の形状は特に限定されるものではないが、例えば、底面部（１）が三角形状である略三角柱型、底面部（１）が四角形状である略四角柱型、その他、底面部（１）が五角形状以上の多角柱型など、各種形状の紙製包装容器とすることができる（請求項４）。
【００１３】
本発明の請求項３では、前記底面部の中心（１ｂ）が頂点となるよう前記折線（６）に沿って底面部（１）を容器本体（Ａ）の内側へ凹ませて上げ底状に形成したことを特徴とする。
【００１４】
このような構成とした場合、容器本体（Ａ）をテーブル面等の載承面に載せた際、底面部の角部のみが載承面に接触して容器本体（Ａ）が支持されるので、容器本体（Ａ）の安定性が向上すると共に、載承面との間での熱伝導性が小さくなり、保温機能の向上が期待できる。また、容器本体（Ａ）内に食品などを収容して電子レンジにより加熱する場合、電子レンジ内の載承面との間での熱伝導性が小さくなるなどの理由から、短時間で加熱が行えるなどの効果が期待できる。
【００１６】
また、底面部の中心（１ｂ）が内側へ押し込まれる力を生じさせるだけで上げ底状の底面部を得ることができるので、紙製包装容器の自動成形装置による作製が容易になり、従来に比べより迅速な自動成形が可能になるなどの利点がある。
【００１７】
本発明に係る発明の詳細な態様として、前記底面部をその各辺の中間位置が外側へ突出する略六角形に形成すると共に、これら各辺の中間位置と連続するように、側壁の折り込み線を該側壁の中間部に配置した態様をあげることができる。
【００１８】
また、本発明に係る発明の詳細な態様として、前記底面部をその各辺の中間位置が外側へ突出する略八角形に形成すると共に、これら各辺の中間位置と連続するように、側壁の折り込み線を該側壁の中間部に配置した態様をあげることができる。
【００１９】
本発明に係る紙製包装容器は、前記底面部（１）の各辺（１ａ）に沿って立ち上がる夫々の側壁（２）において、隣り合う側壁（２）同士を連結する態様は特に限定されるものではないが、請求項５記載のように、前記底面部（１）の各辺（１ａ）に沿って立ち上がる夫々の側壁（２）の隣り合う側縁部（８）間に折り込み片（２ａ，１０）を連設し、該折り込み片（２ａ，１０）を側壁（２）に貼り着けて隣り合う側壁（２）同士を連結するよう形成する態様をあげることができる。
【００２０】
【発明の実施の形態】
以下、本発明に係る紙製包装容器の実施形態の例と参考例を図面に基づいて説明する。
図１〜図６に示す紙製包装容器は、本発明の請求項１に係るもので、１枚のブランクＢの要所の折り曲げと貼り着けにより、容器本体Ａの底面部１、該底面部１の各辺１ａから立ち上げる複数の側壁２、各側壁２の上縁に折線３を介して折り曲げ自在に連設される蓋フラップ４、隣り合う側壁２同士の側縁部８に連設される折り込み片２ａなどを同時に形成してなるもので、各蓋フラップ４の先端切欠部４ａを渦巻き型に係合させることにより、容器本体Ａの上面４′が開閉自在に封鎖されるようになっている。
【００２１】
上記ブランクＢは、例えば板紙や厚紙又は段ボールなどの紙製基材からなり、必要に応じて表面が耐水加工されたものを使用し、所要形状に裁断されたブランクＢの中心に多角形状の底面部１を配置すると共に、その周囲に折線（各辺）１ａを介して複数の側壁２が連設され、各側壁２に折線３を介して蓋フラップ４が連設されている。
本例の場合には図２に示す如く、ブランクＢの中心に、基本的には三角形状である底面部１を配置すると共に、その各辺１ａに折線を介して三つの側壁２が連設されている。
【００２２】
更に本例では、隣り合う側壁２の側縁部８間に連設された折り込み片２ａ，２ａを有し、これら折り込み片２ａ同士を折線９に沿って折り重ねて各側壁２の外面に夫々貼り着けることにより、隣り合わせる側壁２同士が連結されるようになっている。
尚、隣り合わせる側壁２同士を連結する手段はこれに限定されず、図６に示すように、隣り合う側壁２の一方の側縁部８のみに折り込み片１０を連設し、該折り込み片１０を他方の側壁２の外面に貼り着けて、隣り合わせる側壁２同士を連結しても良いし、若しくは図示しないが、隣り合う側壁２の両側部（側縁部）を相互に直接貼り着けることにより、側壁２同士を連結しても良い。
【００２３】
上記各側壁２及び各蓋フラップ４には、これら両者に亘って、折線３と交差する折り込み線５ａ，５ｂが夫々連続状に形成されている。
すなわち、側壁２の折り込み線５ａは、側壁２の幅方向ほぼ中央において、折線３と直交して形成され、その延長線上に、蓋フラップ４の折り込み線５ｂが連続して形成されている。
【００２４】
また本例では、上記底面部１が、基本的には三角形状であって、且つその各辺１ａの中間位置を外側へ突出した六角形に形成されると共に、これら各辺１ａの中間位置と連続するように、側壁２の折り込み線５ａを該側壁２の中間部、図示例では各側壁２の左右中央に配置している。
すなわち、前記底面部１が、三角形状の各辺１ａの中間位置を外側へ突出させた中間頂角１ｄを備え、折り込み線５ａの下端部５ａ’がその中間頂角１ｄに接するよう形成し、その中間頂角１ｄにより、側壁２及び蓋フラップ４に、各折り込み線５ａ，５ｂが頂点となる外側へ反り出す力が生じるように形成されている。
【００２５】
そうして、各蓋フラップ４を折線３に沿って側壁２の外側へ折り返して側壁２の外面に重ね合わせれば、これら側壁２及び蓋フラップ４が、折り込み線５ａ，５ｂが頂点となるよう自然に外側へ反り出すと共に、それら折り込み線５ａ，５ｂ同士が重なって蓋フラップ４が係止されるようになっている。
【００２６】
また、底面部１には図２に示す如く、その各辺１ａの中間位置から該底面部１の中心１ｂへ向けて折線６がＹ字形に形成され、図３及び図４に示すように容器本体Ａの組み立て作業中に、この折線６に沿って該底面部１を容器本体Ａの内側へ凹状に折り込み可能にしている。
すなわち、前記底面部１に、該底面部の中心１ｂから各中間頂角１ｄにわたって放射状となる折線６を形成し、前記中心１ｂが頂点となるよう前記折線６に沿って底面部１を容器本体Ａの内側へ凹ませて上げ底状に形成されるようになっている（図５参照）。
【００２７】
このような構成になる本例の紙製包装容器は、図１（ａ）に示す閉蓋状態において、折り重なる折り込み片２ａ，２ａが側壁２に貼り着けられているので、収容物が液状物や流動物であっても、隣り合わせる側壁２間から漏れ出すような虞れが無い。
【００２８】
この状態から、各蓋フラップ４を折線３に沿って側壁２の外側へ折り曲げて側壁２に重ね合わせると、底面部１の各辺１ａの中間位置において外側へ突出する中間頂角１ｄに連続する折り込み線５ａ，５ｂが頂点となるよう、各側壁２及び蓋フラップ４が外側へ反り出す力が自然に生じ、且つそれら折り込み線５ａ，５ｂ同士が重なって蓋フラップ４が係止される（図１（ｂ）参照）。
よって、折り込み線５ａ，５ｂに付いた折り癖で、蓋フラップ４が開いたままの状態が維持され、閉蓋状態に戻ることがない。
その結果、側壁２や蓋フラップ４に切り込みなどを入れるようなことなく、ブランクＢに折り込み線５ａ，５ｂを追加するだけの簡単な構造で、蓋フラップ４を開蓋状態のまま保持することができるようになる。
また、底面部１に中間頂角１ｄを追加するだけの簡単な構造で、側壁２及び蓋フラップ４が折り込み線５ａ，５ｂを頂点として外側へ反り出す力が自然に生じるようにして、前記した蓋フラップ４の係止をより確実に行うことができる。
しかも、中間頂角１ｄにより、側壁２及び蓋フラップ４の外側へ反り出す力が常に維持されるので、自動成形装置による紙製包装容器の自動作製を容易、且つ迅速に行うことができる。
【００２９】
従って、斯かる紙製包装容器を、例えばテイクアウトやデリバリーなどに使用し、内容物として食品を収納した場合、一度開いた蓋フラップ４が不用意に戻ることがないので、内容物を取り出し易く食べ易いという効果がある。
また本例の場合、側壁２の間に連設された折り込み片２ａを重ね合わせて各側壁２の外面に夫々貼着したので、内容物が液体や流動物であっても漏れ難いという利点がある。
【００３０】
更に本例の場合、蓋フラップ４を開いて側壁２の外側に重ねた際、中間頂角１ｄにより側壁２と蓋フラップ４が各折り込み線５ａ，５ｂに沿って自然に外側へ突出するように折れ曲がるので、蓋フラップ４の開蓋保持をスムーズに行えるという利点がある。
【００３１】
また本例では、前記底面部１に、その中心１ｂから各中間頂角１ｄにわたる放射状の折線６を形成したので、容器の組み立て過程で底面部１の中心１ｂを押すだけで底面部１が折線６に沿って自然に凹み、上げ底状の容器本体Ａを得ることができる。
よって、この容器本体Ａを、図５に示すように、例えばテーブルなどの平坦面Ｃに載置した際、底面部１の角部１ｃ…のみが夫々接触してガタ付くことがなく、平坦面Ｃに載置した時の容器の安定性を向上できる。さらに、容器本体Ａの保温効果の向上などをも目的として、前記のような上げ底状とするにあたり、成形時において容易に形成することができるなどの利点がある。
尚、このように上げ底状の容器とすることは、食品などを収容して電子レンジにより加熱する場合、電子レンジ内の載承面との間での熱伝導性が小さくなるなどの理由から、短時間で加熱が行えるなどの効果が期待できる。
【００３２】
図７，図８に示す紙製包装容器は、本発明の請求項１に係り、図１〜図６に示す紙製包装容器において、底面部１の形状を基本的には四角形状としたものである。
【００３３】
この例の容器本体Ａは、底面部１が基本的には四角形状で、且つその各辺１ａの中間位置を外側に突出した八角形に形成されると共に、これら各辺１ａの中間位置と連続するように、側壁２の折り込み線５ａを該側壁２の中間部、図示例では各側壁２の左右中央に配置している。
すなわち、前記底面部１が、四角形状の各辺１ａの中間位置を外側へ突出させた中間頂角１ｄを備え、折り込み線５ａの下端部５ａ’がその中間頂角１ｄに接するよう形成し、該中間頂角１ｄにより、側壁２及び蓋フラップ４に、各折り込み線５ａ，５ｂが頂点となる外側へ反り出す力が自然に生じるように形成されている。
【００３４】
この例においても、各蓋フラップ４を折線３に沿って側壁２の外側へ折り返して側壁２の外面に重ね合わせれば、これら側壁２及び蓋フラップ４が、折り込み線５ａ，５ｂが頂点となるよう自然に外側へ反り出すと共に、それら折り込み線５ａ，５ｂ同士が重なって蓋フラップ４が係止されるようになる。
【００３５】
また、底面部１には、図示を省略するが、前記した例と同様に、その各辺１ａの中間位置から該底面部１の中心１ｂへ向けて折線６が形成され、容器本体Ａの組み立て作業中に、この折線６に沿って該底面部１を容器本体Ａの内側へ凹状に折り込み可能にしている。
すなわち、この例の底面部１には、該底面部の中心１ｂから各中間頂角１ｄにわたって放射状となる折線６を十字状に形成し、前記中心１ｂが頂点となるよう前記折線６に沿って底面部１を容器本体Ａの内側へ凹ませて上げ底状に形成されるようになっている。
それ以外の構成、作用効果は図１〜図６に示した例と同様のため、重複する図示、説明は省略する。
【００３６】
図９，図１０に示す紙製包装容器は、図７，図８に示す紙製包装容器において、各蓋フラップ４の先端切欠部４ａを図示するような形状に変更した例を示す。
それ以外の構成、作用効果は図７，図８に示した例と基本的に同様のため、重複する図示、説明は省略する。
【００３７】
図１１，図１２に示す紙製包装容器は、本発明の参考例に係り、図１〜図５に示す紙製包装容器において、底面部１の中間頂角１ｄと折線６を備えないものである。
【００３８】
すなわち、この例の容器本体Ａは底面部１が三角形状で、その各辺１ａの中間位置に前述した中間頂角１ｄを備えず、折り込み線５ａの下端部５ａ’が各辺１ａの中間位置１ｅに接するよう形成している。また、底面部１には前述した折線６を設けず、平坦な（上げ底状でない）底面形状としたものである。
この例においては、各蓋フラップ４を折線３に沿って側壁２の外側へ折り返して側壁２の外面に重ね合わせると共に、これら側壁２及び蓋フラップ４を、折り込み線５ａ，５ｂが頂点となるよう外側へ反り出させれば、それら折り込み線５ａ，５ｂ同士が重なって蓋フラップ４が係止されるようになる。
それ以外の構成、作用効果は前述した例と基本的に同様のため、重複する図示、説明は省略する。
【００３９】
図１３，図１４に示す紙製包装容器は、本発明の参考例に係り、図９，図１０に示す紙製包装容器において、底面部１の中間頂角１ｄと折線６を備えないものである。
【００４０】
すなわち、この例の容器本体Ａは底面部１が四角形状で、その各辺１ａの中間位置に前述した中間頂角１ｄを備えず、折り込み線５ａの下端部５ａ’が各辺１ａの中間位置１ｅに接するよう形成している。また、底面部１には前述した折線６を設けず、平坦な（上げ底状でない）底面形状としたものである。
この例においても、各蓋フラップ４を折線３に沿って側壁２の外側へ折り返して側壁２の外面に重ね合わせると共に、これら側壁２及び蓋フラップ４を、折り込み線５ａ，５ｂが頂点となるよう外側へ反り出させれば、それら折り込み線５ａ，５ｂ同士が重なって蓋フラップ４が係止されるようになる。
それ以外の構成、作用効果は前述した例と基本的に同様のため、重複する図示、説明は省略する。
【００４１】
図１５，図１６に示す紙製包装容器は、本発明の参考例に係り、図１１，図１２に示す紙製包装容器において、側壁２の折り込み線５ａの下端部５ａ’を前記底面部の各辺１ａと離間して位置させると共に、該下端部５ａ’と前記底面部の各辺１ａの両端角部１ｃ，１ｃとの間に折線１１，１１を形成し、これら折線１１，１１と前記各辺１ａとで囲まれる三角形状の区画面１２を備え、この区画面１２により、前記側壁２及び蓋フラップ４に、前記折り込み線５ａ，５ｂが頂点となる外側へ反り出す力が生じるよう形成したものである。
また、底面部１には前述した折線６を設けず、平坦な（上げ底状でない）底面形状としたものである。
【００４２】
この例においては、各蓋フラップ４を折線３に沿って側壁２の外側へ折り曲げて側壁２に重ね合わせると、区画面１２の頂点１２ａに連続する折り込み線５ａ，５ｂが頂点となるよう、各側壁２及び蓋フラップ４が外側へ反り出す力が自然に生じ、且つそれら折り込み線５ａ，５ｂ同士が重なって蓋フラップ４が係止される。よって、折り込み線５ａ，５ｂに付いた折り癖で、蓋フラップ４が開いたままの状態が維持され、閉蓋状態に戻ることがない。
また、区画面１２が、容器本体Ａを持つ際に使用者の指を添える指当て面として機能し、側壁２が平坦面である場合に比べ、使い易いなどの利点がある。
それ以外の構成、作用効果は前述した例と基本的に同様のため、重複する図示、説明は省略する。
【００４３】
図１７，図１８に示す紙製包装容器は、本発明の参考例に係り、図１３，図１４に示す紙製包装容器において、側壁２の折り込み線５ａの下端部５ａ’を前記底面部の各辺１ａと離間して位置させると共に、該下端部５ａ’と前記底面部の各辺１ａの両端角部１ｃ，１ｃとの間に折線１１，１１を形成し、これら折線１１，１１と前記各辺１ａとで囲まれる三角形状の区画面１２を備え、この区画面１２により、前記側壁２及び蓋フラップ４に、前記折り込み線５ａ，５ｂが頂点となる外側へ反り出す力が生じるよう形成したものである。
また、底面部１には前述した折線６を設けず、平坦な（上げ底状でない）底面形状としたものである。
【００４４】
この例においても、各蓋フラップ４を折線３に沿って側壁２の外側へ折り曲げて側壁２に重ね合わせると、区画面１２の頂点１２ａに連続する折り込み線５ａ，５ｂが頂点となるよう、各側壁２及び蓋フラップ４が外側へ反り出す力が自然に生じ、且つそれら折り込み線５ａ，５ｂ同士が重なって蓋フラップ４が係止される。よって、折り込み線５ａ，５ｂに付いた折り癖で、蓋フラップ４が開いたままの状態が維持され、閉蓋状態に戻ることがない。
それ以外の構成、作用効果は前述した例と基本的に同様のため、重複する図示、説明は省略する。
【００４５】
図１９，図２０に示す紙製包装容器は、本発明の請求項２に係り、図９，図１０に示す紙製包装容器において、側壁２の左右の側縁部８の中間部から、底面部１の中間頂角１ｄにわたり折線１３，１３を形成し、該折線１３，各辺１ａ，側縁部８で囲まれる三角形の区画面１４を、側壁２の左右両側の下部に形成したものである。
【００４６】
この例によれば、区画面１４，１４が、容器本体Ａを持つ際に使用者の指を添える指当て面として機能し、側壁２が平坦面である場合に比べ、使い易いなどの利点がある。
それ以外の構成、作用効果は前述した例と基本的に同様のため、重複する図示、説明は省略する。
【００４７】
尚、この例に示すように、折り込み線５ａ，５ｂは必ずしも全ての側壁２及び蓋フラップ４に設けなくともよく、また、ブランクＢの成形時に側壁２のみに折り込み線５ａを設け、蓋フラップ４を折り返した際に自然に折り込み線５ｂが該蓋フラップ４に形成されるようにしても良い。
また区画面１４は全ての側壁２に設けても、一部の側壁２のみに設けても良く、任意である。
このような変更は前述した各例でも採用可能であることは言うまでも無い。
【００４８】
また、蓋フラップ４の先端切欠部４ａの形状は、図１〜図８に示す例の形状としても、図９〜図２０に示す例の形状としても、それ以外の形状としても良く、また先端切欠き部４ａを設けなくとも良く、任意である。
【００４９】
また、図７〜図２０に示す各例においても、図６に示すように、隣り合う側壁２の一方の側縁部８のみに折り込み片１０を連設し、該折り込み片１０を他方の側壁２の外面に貼り着けて、隣り合わせる側壁２同士を連結しても良いし、若しくは図示しないが、隣り合う側壁２の両側部（側縁部）を相互に直接貼り着けることにより、側壁２同士を連結しても良いことは言うまでもない。
【００５０】
以上、本発明の実施形態の例を図面を参照して説明したが、本発明に係る紙製包装容器は図示例に限定されず、特許請求範囲の各請求項に記載された技術的思想の範疇において種々の変更が可能であることは言うまでもない。
【００５１】
【発明の効果】
本発明に係る紙製包装容器は以上説明したように構成したので、以下の効果を奏する。
【００５２】
（請求項１，２）
開いた蓋フラップ（４）を折線（３）に沿って側壁（２）の外側へ折り曲げて重ねると、その蓋フラップ（４）と側壁（２）が、折り込み線（５ａ，５ｂ）が頂点となるよう外側へ反り出すことで、それら折り込み線（５ａ，５ｂ）同士が重なって蓋フラップ（４）が係止され、蓋フラップ（４）を開いた状態が維持される。よって、開いた蓋フラップ（４）が閉蓋状態に戻ることなく、簡単な構造で蓋フラップ（４）を開いた状態のまま保持できる。
従って、蓋フラップ（４）を係止するための切り込みを側壁や蓋フラップに形成するようなことなく、ブランク（Ｂ）に折り込み線（５ａ，５ｂ）を追加するような極めて簡単且つ低コストな手段で、蓋フラップ（４）の係止が可能になり、容器本体（Ａ）の強度の低下、組み立て時（成形時）に切り込みから亀裂が生じることによる不良品の発生、使用時に内容物が液漏れするなどの虞れが無く、低コストで製造することができる新規な紙製包装容器を提供することができた。
また、蓋フラップ（４）を開いて側壁（２）に折り重ねた際、その側壁（２）及び蓋フラップ（４）が、底面部の中間頂角（１ｄ）により、折り込み線（５ａ，５ｂ）が頂点となるよう自然に外側へ突出するので、蓋フラップ（４）をより確実に係止することができる。
また、底面部の中間頂角（１ｄ）と折線（６）により、折り込み線（５ａ，５ｂ）が頂点となるよう外側へ突出する力が常に働くので、紙製包装容器の自動成形装置による自動作製が容易になり、従来に比べより迅速な自動成形が可能になるなどの利点がある。
（請求項３）
多角形の底面部（１）をその各辺（１ａ）の中間頂角（１ｄ）と中心（１ｂ）とを結ぶ折線（６）によって内側へ凹ませることにより、容器本体（Ａ）を平坦面に載置した際、底面部の角部（１ｃ）のみが夫々接触してガタ付くことがないので、載置時の安定性を向上できる。また、底面部（１）の接触面積が少なくなるので、内容物の保温効果が向上し、さらに、電子レンジ内の載承面との間での熱伝導性が小さくなるなどの理由から、短時間で内容物の加熱が行えるなどの効果が期待できる。
【００５３】
（請求項４）
請求項１又は２又は３の効果を有する紙製包装容器を、底面部（１）が三角形状，四角形状，五角形以上の多角形状の紙製包装容器として提供することができる。
【００５６】
（請求項５）
請求項１〜４の効果に加え、隣り合わせる側壁（２）同士を、折り込み片（２ａ，１０）の貼り着けにより連結してなる強固な紙製包装容器として提供することができるなどの利点がある。
【図面の簡単な説明】
【図１】本発明に係る紙製包装容器の実施形態の一例を示す斜視図で、（ａ）は蓋フラップを閉じた状態、（ｂ）は蓋フラップを開いた状態を表す。
【図２】図１に示す紙製包装容器の展開状態を表す斜視図。
【図３】図１に示す紙製包装容器の組み立て途中を示す斜視図。
【図４】図１に示す紙製包装容器の組み立て途中を示す斜視図。
【図５】図３の（５）-（５）線に沿う一部拡大断面図。
【図６】図１に示す紙製包装容器の変形例の展開状態を表す斜視図。
【図７】本発明に係る紙製包装容器の実施形態の他例を示す斜視図。
【図８】図７の（８）-（８）線に沿う一部拡大断面図。
【図９】本発明に係る紙製包装容器の実施形態の他例を示す展開図。
【図10】図９に係る紙製包装容器の斜視図。
【図11】本発明の参考例に係る紙製包装容器の展開図。
【図12】図11に係る紙製包装容器の斜視図。
【図13】本発明の参考例に係る紙製包装容器の展開図。
【図14】図13に係る紙製包装容器の斜視図。
【図15】本発明の参考例に係る紙製包装容器の展開図。
【図16】図15に係る紙製包装容器の斜視図。
【図17】本発明の参考例に係る紙製包装容器の展開図。
【図18】図17に係る紙製包装容器の斜視図。
【図19】本発明に係る紙製包装容器の実施形態の他例を示す展開図。
【図20】図19に係る紙製包装容器の斜視図。
【図１】
0003615537.tif 000002
【図２】
0003615537.tif 000003
【図３】
0003615537.tif 000004
【図４】
0003615537.tif 000005
【図５】
0003615537.tif 000006
【図６】
0003615537.tif 000007
【図７】
0003615537.tif 000008
【図８】
0003615537.tif 000009
【図９】
0003615537.tif 000010
【図１０】
0003615537.tif 000011
【図１１】
0003615537.tif 000012
【図１２】
0003615537.tif 000013
【図１３】
0003615537.tif 000014
【図１４】
0003615537.tif 000015
【図１５】
0003615537.tif 000016
【図１６】
0003615537.tif 000017
【図１７】
0003615537.tif 000018
【図１８】
0003615537.tif 000019
【図１９】
0003615537.tif 000020
【図２０】
0003615537.tif 000021